(57)【特許請求の範囲】
【請求項１】
昇圧コンバータとハーフブリッジコンバータを複合化したブーストハーフブリッジ型スイッチング電源において、トランスの１次コイルと直列に電流検出手段を備え、検出出力と三角波状の基準電圧を比較し、前記検出出力が前記三角波状の基準電圧より高い時に、この比較手段から延長パルスを発生させ、１次側スイッチ素子のパルス信号と前記延長パルスとを加算ゲートで合成させて、前記トランスの２次コイルと直列に接続された同期整流用スイッチ素子の駆動パルスを生成することを特徴とするスイッチング電源の駆動方法。
【請求項２】
請求項１に記載のスイッチング電源において、スイッチング周期の開始時点で三角波の電圧レベルを所定の値にリセットすることを特徴とするスイッチング電源の駆動方法。
【発明の詳細な説明】
【０００１】
【発明の属する分野】
本発明は、ブーストハーフブリッジ方式（BHB方式）スイッチング電源の大容量出力使用において、同期整流用スイッチ素子の損失を低減し電源の効率を改善するための駆動方法に関するものである。
【０００２】
【従来の技術】
従来広い入力電圧範囲で低電圧出力のオンボード電源に適したブーストハーフブリッジ方式（BHB方式）のスイッチング電源が使用され、この方式は昇圧チョッパ回路と非対称制御のハーフブリッジ回路を一体化した回路で広い入力範囲で自己駆動型の同期整流スイッチ素子を駆動することが可能であり、主スイッチ素子及び同期整流スイッチ素子とし低耐圧でオン抵抗の小さいMOSFETを使用した直流入力の高効率電源である。この回路図の一例を図６に示す。
【０００３】
BHB方式スイッチング電源において、小容量出力に用いられる場合は特に問題とされなかったが、大容量出力で用いられる場合にはトランスの２次巻線リーケージインダクタンスが大きくなるため転流期間が長くなり図６に示す従来回路例のようにトランス２次巻線を用いて同期整流MOSFETを駆動する場合には、転流時間においてトランス２次巻線電圧出力がなくなるためMOSFETが非導通状態になり、この間電流が同期整流MOSFETの寄生ダイオードを流れるので損失が増加するという問題が発生した。
【０００４】
転流期間Ｔｃはトランスの２次側巻線リーケージインダクタンスをＬ、整流出力電圧をＶ、転流終了時の２次側巻線電流をｄＩとすると、
【数式１】
0004338334.tif 000002
で表され、大電流出力では転流終了時の２次側巻線電流ｄＩが大きく、Ｌを小さくするには限度があり、低出力電圧では整流出力電圧Ｖも小さいため転流期間は大きくなり、低電圧大電流出力においてはＴｃが例えば周期１０マイクロ秒に対して１．２マイクロ秒になる場合もある。
【０００５】
同期整流素子の駆動に１次側スイッチングパルスやトランスの２次巻線を用いることができるが転流期間に同期整流用スイッチ素子をオンさせることができない問題がある。
【０００６】
一方この問題を改善するため転流期間においても同期整流用スイッチ素子を駆動しようとすると、入出力電圧、出力電流で転流時間が変化するので、同期整流用スイッチ素子の駆動パルスはこれに応じて変化させる必要があり、一つの手段として２次電流をモニターして電流が流れている期間だけスイッチ素子の主パルスを広げ延長する方法が考えられる。
【０００７】
図３はこれを実現するための、従来の一方法を図５は従来の実施回路例を示したものである。この従来方法では出力整流素子に流れる電流の出力電圧モニター電圧波形ＶＣと基準電圧値ＶＢを比較し、電流モニター電圧が高い期間は同期整流スイッチ素子の駆動延長パルスＶＦを主スイッチ駆動パルスＶＡに引き続いて出力して、同期整流スイッチ素子を転流期間内にも駆動し続けようとするものである。一方出力電流が小さな場合には、出力電圧モニター電圧は基準電圧より低いので転流期間内の駆動パルスの延長は行われない。
【０００８】
しかし駆動パルスの終端で電圧を下げても実際に同期整流素子に流れる電流が低下し始めるまではドライブ回路の遅れとスイッチ素子のターンオフ時間に起因する遅れ時間Ｔｄがあり、出力電流が増えていく場合においては基準電圧を上回った瞬間に遅れ時間Ｔｄだけ駆動パルスが広がりこの分それまで同期整流素子の寄生ダイオードを流れていた電流がより電圧降下の低いオン状態になった同期整流素子を流れることになるので、出力電圧がこのパルスの広がり相当分上昇して安定を一時的に損なうと言う問題が生じる。
【０００９】
反対に、出力電流が減る場合においては基準電圧を下回った瞬間に遅れ時間Ｔｄだけパルスが狭まり、出力電圧がこのパルスの広がり相当分下降して安定を一時的に損なうと言う問題が生じる。
【００１０】
【本発明が解決しようとする課題】
本発明は、上記従来技術の問題点を鑑みてなされたもので、その目的は、ブーストハーフブリッジ方式（ＢＨＢ方式）スイッチング電源を大容量出力に使用する場合において、出力電圧の安定を損なわず、しかも同期整流用スイッチング素子の損失を改善した電源を提供できる。
【００１１】
【課題を解決しようとする手段】
上記目的を達成するためになされた請求項記載の発明は、ＢＨＢ方式のスイッチング電源を低電圧大電流出力で使用するための、出力電圧を安定して供給できることを特徴とする同期整流用スイッチ素子の駆動方法を提供するものである。
【００１２】
すなわちＢＨＢ方式のスイッチング電源は広入力電圧範囲で低電圧出力のオンボード電源に適した直流入力高効率電源が提供されているが、低電圧で大電流出力においても同期整流用スイッチ素子のオン時間を制御し、安定した出力を提供するものである。
【００１３】
ＢＨＢ方式のスイッチング電源は昇圧コンバータとハーフブリッジコンバータを複合化したブーストハーフブリッジ型スイッチング電源であって、２次側同期整流用スイッチ素子の制御端子にパルス信号を送出するパルス信号生成器が接続されている。
【００１４】
パルス信号生成器は１次側コイルと直列にカレントトランスのような電流検出手段を接続し、この検出出力と三角波基準電圧を比較して同期整流用スイッチ素子にパルス信号を送出する。
【００１５】
三角波基準電圧はパルス信号の立ち上がりと同時にリセットされ、三角波基準電圧と電流検出手段で出される電圧を比較し電流検出信号の電圧が高い時パルスを発生させる。
【００１６】
三角波基準電圧は直線的に上昇させ、電流の立ち上がり時点で常に一定値（例えば０）となるようにリセットすることでどのような入出力電圧、電流であっても対応することが可能である。
【００１７】
パルス幅の延長が出力電流の増加に基づいて延長されるため転流期間での損失が低減され、広い出力電圧、出力電流範囲で有効で、特にトランスの２次側リーケージインダクタンスの影響を受ける、低電圧大電流出力においても効率の良いスイッチング電源を提供できる。
【００１８】
しかも、出力電流が小さい状態から増加してくる場合においては、同期整流用スイッチング素子の駆動パルスの延長分は０μｓから出力電流の増加に従って徐々に広がるようになるので、前記例のようなパルスが急に広がって出力電圧の安定を一時的に損なうというような不具合を回避することができる。また、出力電流が大きい状態から減少していく場合にも、駆動パルス幅の延長分は出力電流の減少に従って減っていくので前記と同様の効果がある。
【００１９】
【発明の実施の形態】
以下、添付図面を用いて本発明に係る半導体スイッチング装置の実施形態を説明する。なお、図面の説明において同一部材には同じ符号を付し、重複する説明は省略する。
【００２０】
図１は本発明の実施形態を示すブロック図である。このブロック図はＢＨＢ方式のスイッチング電源において、１次側のトランスＴに直列に電流検出手段の一例としてカレントトランスＣＴを設け、その出力を駆動パルス発生器３で三角波基準電圧と比較して出力を同期整流用スイッチ素子の制御端子に入力してある。
【００２１】
一方三角波基準電圧は、パルス信号の立ち上がりを検出してスタート時に三角波基準電圧の初期値をリセットする。図２は駆動パルス生成方法の実施例を示す。カレントトランスＣＴの出力Eは整流され比較器７の入力Cとして加えられ、三角波基準電圧発生器４は主パルスPWM５の出力Aからリセット信号９を得て三角波信号Ｂを発生し、比較器７は上記三角波信号ＢとカレントトランスＣＴからの入力Cを比較し、カレントトランスＣＴからの入力Cが高い時に、延長パルスFを発生し、上記主パルスPWM出力Aと延長パルスFは加算ゲート８で合成されてQ４駆動パルスDを生成する。
【００２２】
図４は本実施例の各点の電圧波形を示したものである。図２中のＡ点からＦ点のグランドに対する電位をそれぞれＶＡからＶＦとしている。また、スイッチ素子Q１、Q３側の駆動パルスもこれと同様のパルス発生器で生成できる。
【００２３】
一次側スイッチ素子のパルス信号に対してトランスＴの２次側巻線リーケージインダクタンスにより電流検出手段には遅れ時間Ｔｄと転流期間Ｔｃを含んだ波形が観測される。低電圧大電流出力においては転流期間Ｔｃが例えば周期１０マイクロ秒に対して１．２マイクロ秒になる場合もある。
【００２４】
基準電圧が一定であると図３に示すように出力電流が増加してきて、出力電圧モニター電圧波形が三角波基準電圧を上回った瞬間、同期整流用スイッチ素子パルスの延長部分がドライブ回路の遅れとスイッチ素子のターンオフ時間に起因する遅れ時間Ｔｄに相当する時間幅だけ出力してしまうが、本発明である図４のように三角波状の基準電圧ＶＢを用いることによりパルス延長部分（図４のVFに相当）の幅は出力電流の増加に従って０マイクロ秒から徐々に増加するので出力電圧に与える変動を極めて小さくすることができる。
【００２５】
【発明の効果】
ＢＨＢ方式のスイッチング電源において、２次側同期整流用スイッチング素子の制御端子に接続した駆動パルス発生器３は１次側コイルと直列に電流検出手段を接続し、この検出出力と三角波基準電圧を比較して同期整流用スイッチ素子にパルス信号を送出することでパルス幅の延長が出力電流の増加に基づいて延長されるため延長に伴う出力電圧の変化分が低減され、トランスＴの２次側リーケージインダクタンスの影響を受ける、低電圧大電流出力においても安定で効率の良いスイッチング電源を提供できる。
【００２６】
【図面の簡単な説明】
【図１】本発明の実施形態を示すスイッチング電源駆動方法の実施例である。
【図２】本発明の実施形態を示す駆動パルス生成方法の実施例である。
【図３】従来の延長された駆動パルスの生成方法である。
【図４】本発明による延長された駆動パルスの生成方法である。
【図５】従来のＢＨＢ方式スイッチング電源の駆動方法を示す図である。
【図６】従来のトランス２次巻線を用いた同期整流MOSFETの駆動方法を示す図である。
【符号の説明】
１、入力
２、出力
３、駆動パルス発生器
４、三角波基準電圧発生器
５、主パルスＰＷＭ出力
６、基準電圧
７、比較器
８、加算ゲート
９、リセット信号
Ｃ１、Ｃ２、Ｃ３コンデンサ
Ｑ１、Ｑ２、Ｑ３、Ｑ４、ＭＯＳＦＥＴ
Ｌ１、Ｌ２、インダクタンス
Ｔ、トランス
ＣＴ、カレントトランス
【図１】
0004338334.tif 000003
【図２】
0004338334.tif 000004
【図３】
0004338334.tif 000005
【図４】
0004338334.tif 000006
【図５】
0004338334.tif 000007
【図６】
0004338334.tif 000008